(57)【特許請求の範囲】
【請求項１】
電気ギターのボディ側に複数の弦の張力が一斉に変更され、印象的な効果音を作り出すトレモロ装置を備え、前記電気ギターのネックの先端部にヘッド部を下方に屈曲して設け、該ヘッド部に弦柱と糸巻きを装着し、前記ネックの先端部に前記弦柱から前記トレモロ装置に張設される各弦を臨界接触状態でロックするロック機構を設け、前記ロック機構は、前記ネックの先端部上面に取り付けられた弦の挟着面を有するナットと、その下面に弦を前後二箇所で押圧する押圧突部が形成され前記弦の挟着面に対し上方から押圧されるクランプパッドと、前記クランプパッドの貫通孔に挿通され、前記ナットに設けたネジ孔に螺合されるクランプボルトとにより構成された電気ギターにおいて、
前記ナットの弦柱側の弦の臨界接触点の高さを、前記ナットのトレモロ装置側の弦の臨界接触点と前記弦柱の弦の掛止点を結ぶ仮想の直線よりも高く設定したトレモロ装置を備えた電気ギター。
【請求項２】
請求項１において、前記ナットの弦の挟着面は、弦の張設方向に直線状に形成されているトレモロ装置を備えた電気ギター。
【請求項３】
請求項２において、前記ナットのトレモロ装置側の弦の臨界接触点と、トレモロ装置の弦の臨界接触点とを結ぶ仮想の直線に対するナットの弦の挟着面の傾斜角αは、２〜１２．５°に設定され、前記ナットのトレモロ装置側の弦の臨界接触点と、前記弦柱の弦の掛止点とを結ぶ仮想の直線に対するナットの弦の挟着面の傾斜角βは２〜１２．５°に設定され、ネックに対するヘッド部の屈曲角γは、１０〜１８°に設定されているトレモロ装置を備えた電気ギター。
【請求項４】
請求項３において、前記傾斜角αは、３〜７°、前記傾斜角βは３〜７°、前記屈曲角γは１４°にそれぞれ設定されているトレモロ装置を備えた電気ギター。
【請求項５】
請求項１〜４のいずれか一項において、前記ナットとクランプパッドとの間には、クランプパッドを上方に付勢する弾性部材が介在されているトレモロ装置を備えた電気ギター。
【発明の詳細な説明】
【０００１】
【発明の属する技術分野】
本発明は、トレモロ装置を備えた電気ギターに関し、さらに詳しくは、弦をネックの先端部側で臨界接触状態でロックするロック機構に関するものである。
【０００２】
【従来の技術】
トレモロ装置を備えた電気ギターでは、トレモロ演奏時の弦の張力（ピッチ）の変化に起因する音程（調弦状態）の狂いを防ぐようになっている。例えば、ＵＳＰ第４１７１６６１号公報に記載の電気ギターでは、ボディ面のトレモロ装置のサドル部分においてボルト及び押さえ部材により弦がロックされている。ヘッド部寄りのナット部分にも弦をクランプするロック機構が設けられている。そのため、トレモロ演奏を行っても調弦が狂いにくい。ナット部分で弦がロックされている場合は、糸巻きでの調弦が困難になるため、弦をナット部分でロックした後でも微調弦（ファインチューニング）が可能なように、前記サドル部分にファインチューニング装置が設けられている。
【０００３】
図６は前記ＵＳＰ公報に記載されたネックの先端部における弦のロック機構３０の平面を示す。又、図７は図６の１−１線断面を示す。ロック機構３０はネック１３の先端部上面に装着されている。このロック機構３０を構成するナット３１はネック１３の先端部上面に図示しないボルトにより固定されている。前記ナット３１の上面にはクランプパッド３２が支持されている。締付ボルト３３によってクランプパッド３２をナット３１の上面に向って押圧することにより弦１５をクランプするようになっている。前記ナット３１のトレモロ装置側の弦１５の臨界接触点Ｐ１と、トレモロ装置の弦の臨界接触点Ｐ２とを結ぶ仮想の直線Ｌ１に対するナット３１の弦の挟着面３１ａの傾斜角αは、例えば５°に設定されている。前記ナット３１のトレモロ装置側の弦の臨界接触点Ｐ１と、前記弦柱側の臨界接触点Ｐ３を結ぶ仮想の直線Ｌ２と、前記臨界接触点Ｐ１と弦柱側の弦の掛止点Ｐ４とを結ぶ仮想の直線Ｌ３とは平行になっている。ネック１３に対するヘッド部１４の屈曲角γは、１０°に設定されている。又、前記ロック機構３０と弦柱１６との間に通常設けられるリテーナバーは省略されている。
【０００４】
【発明が解決しようとする課題】
上記従来のロック機構３０においては、ナット３１の挟着面３１ａが前記直線Ｌ３と平行状態になっているので、弦１５が臨界接触点Ｐ３側の挟着面３１ａから浮き上がり易い。このため前記臨界接触点Ｐ３における挟着面３１ａと弦１５との接触摩擦力が低下する。従って、締付ボルト３３によりクランプパッド３２をナット３１に締め付けるロッキング時において弦１５のチューニング状態が狂い易いと共に、弦１５が位置ズレを起こし易いという問題があった。さらに、弦１５をクランプパッド３２によって押圧する力を大きくしないと、トレモロ演奏時にチューニングが狂い易いので、弦１５に大きな挟着力を作用させる必要がある。このため、弦１５が損傷したり締付ボルト３３の耐久性が低下したりするという問題があった。
【０００５】
上記の問題を改善するためにロック機構３０と弦柱との間にリテーナバーを設け、弦１５を下方に押圧して屈曲させ、弦１５を臨界接触点Ｐ３において屈曲するようにしたものが主流となっている。しかし、この構成は、弦の装着作業の際にリテーナバーに弦を潜らせる面倒な作業が必要になるという問題があった。そればかりでなく、リテーナバーが存在する場合には、締付ボルト３３及びクランプパッド３２を取り外さないと、弦をリテーナバーの下に潜らせることが非常に難しいという問題があった。
【０００６】
本発明の目的は、上記従来の技術に存する問題点を解消して、ナットの前後における臨界接触点での弦の接触部の押圧力及び摩擦抵抗を増大させることができ、弦のナット上面における浮き上がりを防止し、弦のロッキング時のチューニングの狂いや、弦の位置ズレを防止することができるトレモロ装置を備えた電気ギターにおける弦のロック機構を提供することにある。
【０００７】
本発明の別の目的は、上記目的に加えて、弦の装着作業を容易に行うことができるトレモロ装置を備えた電気ギターにおける弦のロック機構を提供することにある。
【０００８】
【課題を解決するための手段】
上記問題点を解決するために、請求項１に記載の発明は、電気ギターのボディ側に複数の弦の張力が一斉に変更され、印象的な効果音を作り出すトレモロ装置を備え、前記電気ギターのネックの先端部にヘッド部を下方に屈曲して設け、該ヘッド部に弦柱と糸巻きを装着し、前記ネックの先端部に前記弦柱から前記トレモロ装置に張設される各弦を臨界接触状態でロックするロック機構を設け、前記ロック機構は、前記ネックの先端部上面に取り付けられた弦の挟着面を有するナットと、その下面に弦を前後二箇所で押圧する押圧突部が形成され前記弦の挟着面に対し上方から押圧されるクランプパッドと、前記クランプパッドの貫通孔に挿通され、前記ナットに設けたネジ孔に螺合されるクランプボルトとにより構成された電気ギターにおいて、前記ナットの弦柱側の弦の臨界接触点の高さを、前記ナットのトレモロ装置側の弦の臨界接触点と前記弦柱の弦の掛止点を結ぶ仮想の直線よりも高く設定したことを要旨とする。
【０００９】
請求項２に記載の発明は、請求項１において、前記ナットの弦の挟着面は、弦の張設方向に直線状に形成されていることを要旨とする。
請求項３に記載の発明は、請求項２において、前記ナットのトレモロ装置側の弦の臨界接触点と、トレモロ装置の弦の臨界接触点とを結ぶ仮想の直線に対するナットの弦の挟着面の傾斜角αは、２〜１２．５°に設定され、前記ナットのトレモロ装置側の弦の臨界接触点と、前記弦柱の弦の掛止点とを結ぶ仮想の直線に対するナットの弦の挟着面の傾斜角βは２〜１２．５°に設定され、ネックに対するヘッド部の屈曲角γは、１０〜１８°に設定されていることを要旨とする。
【００１０】
請求項４に記載の発明は、請求項３において、前記傾斜角αは、３〜７°、前記傾斜角βは３〜７°、前記屈曲角γは１４°にそれぞれ設定されていることを要旨とする。
【００１１】
請求項５に記載の発明は、請求項１〜４のいずれか一項において、前記ナットとクランプパッドとの間には、クランプパッドを上方に付勢する弾性部材が介在されていることを要旨とする。
【００１３】
【発明の実施の形態】
以下、本発明を具体化した電気ギターのトレモロ装置を備えた電気ギターの一実施形態を図１〜図５に従って説明する。
【００１４】
図５は、電気ギター１１全体を上面側から見た図である。図５において紙面手前側を電気ギター１１の上方、上側を前方とする。
電気ギター１１は、ソリッドタイプのボディ１２と、ボディ１２から前方に延設されたネック１３を備える。ネック１３前端のヘッド部１４には、弦１５を巻き取る６本の弦柱１６が上方に回動可能に突設されている。それぞれの弦柱１６の背面には図示しないギヤ機構を有し、かつヘッド部１４から突設された糸巻き１７が備えられ、弦柱１６が回動されようになってる。この弦柱１６、ギヤ機構、糸巻き１７によりそれぞれの弦１５のピッチ（張力）が調整されて張弦される。又、ネック１３の先端部に設けたロック機構１８には弦１５が臨界接触状態でロックされている。
【００１５】
ボディ１２には中央やや後方側に、トレモロ装置１９が配設されている。前記ロック機構１８で臨界接触し、トレモロ装置１９で臨界接触された６本の弦１５は、所定の張力で相互に略平行に張架される。ボディ１２には弦の振動を検出し、電気信号に変換するピックアップが配置されている。このピックアップに生じた電気信号は、ケーブル（図示略）を介してアンプリファイアーで増幅されて音声に変換される。
【００１６】
トレモロ装置１９にはトレモロアーム２０が装着され、このトレモロアーム２０を傾動することにより全ての弦１５の張力が一斉に変更され、印象的な効果音が得られるようになっている。
【００１７】
次に、本発明の要部構成である前記ロック機構１８について説明する。
図１に示すように、前記ネック１３の先端部上面には複数のボルトＢによってナット２１が固定されている。前記ナット２１は図２に示すように前記各弦１５を支持する挟着面２１ａと、前後に一体的に形成された案内壁部２１ｂ，２１ｃとを備えている。前記案内壁部２１ｂ，２１ｃには弦１５を案内する凹部２１ｄ，２１ｅが切り欠き形成されている。前記挟着面２１ａには前記ボルトＢを下方に挿通する孔２１ｆが形成されている。
【００１８】
前記挟着面２１ａには弦１５をクランプするための複数のクランプパッド２２が支持され、クランプボルト２３によって挟着面２１ａに締め付け固定されるようになっている。クランプボルト２３のネジ部２３ａは、クランプパッド２２に設けた貫通孔２２ｃを貫通して挟着面２１ａに形成したネジ孔２１ｇに螺合されるようになっている。前記クランプパッド２２は弦１５を挟着面２１ａとの間で挟着固定する前後一対の押圧突部２２ａ，２２ｂを備えている。又、前記クランプパッド２２の上部側には図２に示すように張弦方向から見て山型状の頂部２２ｄが形成されている。クランプボルト２３の頭部２３ｂにはコイン等を係合可能な係合凹部２３ｃが設けられている。
【００１９】
前記ナット２１とクランプパッド２２との間には、クランプパッド２２を上方に付勢する弾性部材としてのコイルバネ２４が介在されている。
この実施形態においては、ナット２１のトレモロ装置１９側の端部を弦１５の第１臨界接触点Ｐ１とし、トレモロ装置１９のブリッジサドルに連結された弦１５の臨界接触点をＰ２としている。又、ナット２１の弦柱１６側の端部を第３臨界接触点Ｐ３としている。さらに、前記弦柱１６の弦１５の掛止点をＰ４としている。
【００２０】
又、この実施形態においては、前記第１臨界接触点Ｐ１と第２臨界接触点Ｐ２を結ぶ直線をＬ１、第１臨界接触点Ｐ１と第３臨界接触点Ｐ３とを結ぶ直線をＬ２、第１臨界接触点Ｐ１と弦１５の掛止点Ｐ４を結ぶ直線をＬ３としている。
【００２１】
さらに、この実施形態においては、前記直線Ｌ１に対する直線Ｌ２の傾斜角をα、前記直線Ｌ２に対する直線Ｌ３の傾斜角をβ、前記ネック１３（直線Ｌ１）に対するヘッド部１４の屈曲角をγとしている。
【００２２】
この実施形態では、前記傾斜角αを２〜１２．５°の範囲において、例えば４．２°に設定されている。又、傾斜角βは２〜１２．５°の範囲において例えば５°に設定されている。さらに屈曲角γは１０〜１８°の範囲において、例えば１４°に設定されている。上記の各角度の設定によって、前記直線Ｌ３からの前記弦１５の第３臨界接触点Ｐ３の高さは、例えば０．５〜３．５ｍｍ高く設定されることになる。
【００２３】
前記屈曲角γが１４°の場合には、傾斜角αの望ましい範囲は３〜７°、前記傾斜角βの望ましい範囲は３．０〜７．０°である。傾斜角α，βの下限値（３．０°）は、標準高さ９．５ｍｍの弦柱１６を用いるとともに、臨界接触点Ｐ１，Ｐ３間の距離が１５．５ｍｍ、臨界接触点Ｐ３と掛止点Ｐ４間の距離が３６．５ｍｍの場合に適正な数値として設定されている。又、傾斜角α，βの上限値（７．０°，７．０°）は、低い高さ３．７ｍｍの弦柱１６を用い、他は前記条件と同じ条件の場合に適正な数値として設定されている。上記の各角度の下限値の場合には、前記直線Ｌ３からの前記弦１５の第３臨界接触点Ｐ３の高さは、０．８ｍｍに設定され、上限値の場合には１．５ｍｍ高く設定されることになる。
【００２４】
次に、前記のように構成したロック機構１８の動作について説明する。
各弦１５を装着する場合には、前記クランプボルト２３を緩めてクランプパッド２２をナット２１の挟着面２１ａから所定の高さだけ浮上する。この状態で、各弦１５の一端部を前記トレモロ装置１９のブリッジサドルに挟着固定する。その後、弦１５の他端部を凹部２１ｅから前記ナット２１の挟着面２１ａとクランプパッド２２の下面の間に形成されている隙間に通し凹部２１ｄから引き出し、弦柱１６に掛止する。前記クランプパッド２２を浮上したままの状態で、糸巻き１７を回動操作することにより弦柱１６を回動し、各弦１５に所定の張力を付与し、各弦１５のチューニングを行う。各弦１５に対する張力付与により弦１５はナット２１の挟着面２１ａの第１及び第３臨界接触点Ｐ１，Ｐ３においてそれぞれ屈曲して臨界接触される。この状態においてクランプボルト２３によりクランプパッド２２をナット２１の挟着面２１ａに向かって締め付け、弦１５をナット２１に固定する。
【００２５】
次に、前記のように構成したロック機構１８についてその効果を構成と共に記載する。
（１）前記実施形態では、傾斜角βを２〜１２．５°の範囲に設定し、第３臨界接触点Ｐ３が前記直線Ｌ３よりも０．５〜３．５ｍｍの範囲で高くなるようにした。このため、弦１５がナット２１の挟着面２１ａの第１及び第３臨界接触点Ｐ１，Ｐ３においてそれぞれ屈曲して接触され、接触摩擦力が増大する。従って、リテーナバーを用いなくても、ナット２１に対する弦１５の押圧力及び摩擦抵抗が増大され、弦１５のチューニングを適正に行うことができる。
【００２６】
クランプパッド２２をクランプボルト２３によってナット２１側に締め付け固定するロッキングの際、弦１５がナット２１の挟着面２１ａに対し確実に摩擦接触しているので、リテーナバーを用いなくても、弦１５のチューニング状態の狂いを防止することができる。又、ロッキングの際に、弦１５が張弦方向に位置ズレを起こすのを防止することができる。さらに、クランプパッド２２の締付け力を過度に大きくする必要がないので、弦１５の損傷を防止することができる。
【００２７】
（２）前記実施形態では、ナット２１の挟着面２１ａが直線状に形成されているので、第３臨界接触点Ｐ３の高さを前記直線Ｌ３よりも上方に容易に設定でき、製造を容易に行うことができる。
【００２８】
（３）前記実施形態では、クランプパッド２２の前後に押圧突部２２ａ，２２ｂを設けて弦１５を前後の２箇所で押圧固定するようにした。このため、第１及び第３臨界接触点Ｐ１，Ｐ３に近いところで弦１５を確実にクランプすることができ、第１及び第３臨界接触点Ｐ１，Ｐ３における弦１５の挟着不良をなくすことができる。
【００２９】
（４）前記実施形態では、ナット２１の挟着面２１ａとクランプパッド２２の間にコイルバネ２４が介在されている。このため、クランプボルト２３を緩めてクランプパッド２２を挟着面２１ａから浮上することができ、糸巻き１７による弦１５のチューニングをクランプパッド２２を取り外すことなく容易に行うことができる。仮に、コイルバネ２４が無い場合には、クランプボルト２３を緩めただけでは、チューニング時に、弦１５の上面にクランプパッド２２が自重により接触して、振動によるノイズが発生し、チューニングの妨げになる。
【００３０】
なお、前記実施形態は次のように変更して具体化することもできる。
○  弦柱１６の高さ位置をヘッド部１４の上面に可及的に近づけるようにしてもよい。この場合には第３臨界接触点Ｐ３における弦１５の屈曲角が増大し、摩擦力を高めることができる。
【００３１】
【発明の効果】
以上詳述したように、請求項１〜５記載の発明は、ナットの前後における臨界接触点での弦の接触部の押圧力及び摩擦抵抗を増大させることができ、弦のナット上面における浮き上がりを防止し、ロッキング時のチューニングの狂いや、クランプパットの締め付け時における弦の位置ズレを防止することができる。
【００３２】
請求項２記載の発明は、ナットの弦柱側の臨界接触点の高さを高く設定することが容易になるという利点がある。
請求項５記載の発明は、弦の装着作業を容易に行うことができる。
【図面の簡単な説明】
【図１】  この発明を具体化した弦のロック機構付近を示す断面図。
【図２】  ロック機構の分解斜視図。
【図３】  電気ギターのヘッド部の平面図。
【図４】  ヘッド部の側面図。
【図５】  電気ギター全体を示す正面図。
【図６】  従来の電気ギターの弦のロック機構を示す平面図。
【図７】  図６の１−１線断面図。
【符号の説明】
２１…ナット、２１ａ…挟着面、２２…クランプパッド、２２ａ，２２ｂ…押圧突部、２３…クランプボルト、２４…弾性部材としてのコイルバネ、Ｐ１〜Ｐ３…第１〜第３臨界接触点、Ｐ４…弦の掛止点、α…傾斜角、β…傾斜角、γ…屈曲角。
【図１】
0003705585.tif 000002
【図２】
0003705585.tif 000003
【図３】
0003705585.tif 000004
【図４】
0003705585.tif 000005
【図５】
0003705585.tif 000006
【図６】
0003705585.tif 000007
【図７】
0003705585.tif 000008